(57)【要約】【課題】既設の開口部への枠材の後付けを可能にし、センサと配線の接続部の微調整を容易にすることができると共に、開口部の周囲への開口枠の取付作業を容易に行えるようにした庫体開口部の開口枠及び開口枠の取付方法提供すること。【解決手段】周囲がパネル２で囲まれた庫体に設けられた出入り用の開口部３の周囲に形成される開口枠１０は、パネルの開口部側の表裏面に外接可能な一対の側片２１と、両側片の中間部に連結されてパネルの開口端部に当接可能な連結片２２とを有する断面略Ｈ字状の開口枠本体２０と、開口枠本体２０の開口部側の両側片２１に係着されて両側片間の開口を塞ぐ蓋部材３０とからなり、開口部３の両垂直部において、蓋部材３０に設けられた取付孔を介して開口部内の検知対象体を検知するセンサ４０を装着し、連結片２２と蓋部材３０との間の空間内に、センサ４０に接続する配線５０を配設する。【選択図】    図３
2018040170.tif 000002
【特許請求の範囲】
【請求項１】
周囲がパネルで囲まれた庫体に設けられた出入り用の開口部の周囲に形成される開口枠であって、
上記開口枠は、上記パネルの開口部側の表裏面に外接可能な一対の側片と、両側片の中間部に連結されて上記パネルの開口端部に当接可能な連結片とを有する断面略Ｈ字状の開口枠本体と、上記開口枠本体の上記開口部側の両側片に係着されて両側片間の開口を塞ぐ蓋部材とからなり、
上記開口部の少なくとも一辺において、上記蓋部材に設けられた取付孔を介して上記開口部内の検知対象体を検知するセンサが装着され、上記連結片と上記蓋部材との間の空間内に、上記センサに接続する配線が配設される、
ことを特徴とする庫体開口部の開口枠。
【請求項２】
請求項１に記載の庫体開口部の開口枠において、
上記開口枠本体のパネルに外接可能な一対の側片の対向面における先端部と該先端部より間隔をおいた部位に、それぞれ先端側に向かって下り傾斜面を有する２条の突起が形成され、少なくとも一方の上記側片の外方から上記２条の突起間に貫挿される固定ねじによって上記側片がパネルに固定される、ことを特徴とする庫体開口部の開口枠。
【請求項３】
請求項１又は２に記載の庫体開口部の開口枠において、
上記開口枠本体の開口部側の一対の側片の対向面における先端側内方に直状突起が形成され、上記直状突起より間隔をおいた部位に上記連結片側に向かって上り傾斜状の係止部を有するフック状突起が形成され、
上記蓋部材は、上記直状突起に当接可能な板状基部と、該板状基部の幅方向の両端側から突出する一対の脚片とからなり、上記両脚片には、該脚片の先端から対向する脚片側に傾斜状に屈曲する先端が円弧状の屈曲部に、上記フック状突起に係合可能な係止段部が形成されている、ことを特徴とする庫体開口部の開口枠。
【請求項４】
周囲がパネルで囲まれた庫体に設けられた出入り用の開口部の周囲に形成される開口枠の取付方法であって、
一対の側片と両側片の中間部に連結される連結片とを有する断面略Ｈ字状の開口枠本体の一方の両側片を上記パネルの開口部側の表裏面に外接すると共に、上記連結片を上記開口端部に当接する開口枠本体の取付工程と、
上記開口枠本体の開口部側の両側片に上記蓋部材を係着して両側片間の開口を塞ぐ蓋部材の取付工程と、を備え、
上記開口部の少なくとも一辺において、上記開口枠本体に上記蓋部材を係着する前に、蓋部材に設けられた取付孔を介して上記開口部内の検知対象体を検知するセンサを装着すると共に、上記センサに接続する配線を上記蓋部材に固定する、
ことを特徴とする開口枠の取付方法。
【請求項５】
請求項４に記載の開口枠の取付方法において、
上記開口枠本体の取付工程は、上記パネルに外接可能な一対の側片の対向面における先端部と該先端部より間隔をおいた部位に形成された、それぞれ先端側に向かって下り傾斜面を有する２条の突起を上記パネルに外接した状態で、少なくとも一方の上記側片の外方から上記２条の突起間に貫挿される固定ねじによって上記側片を上記パネルに固定する、ことを特徴とする開口枠の取付方法。
【請求項６】
請求項４に記載の開口枠の取付方法において、
上記蓋部材の取付工程は、上記開口枠本体の開口部側の一対の側片の対向面における先端側内方に形成された直状突起に、上記蓋部材の板状基部を当接すると共に、上記開口枠本体の上記直状突起より間隔をおいた部位に形成されたフック状突起に、上記蓋部材の板状基部から突出する一対の脚片の係止段部を係合する、ことを特徴とする開口枠の取付方法。
【発明の詳細な説明】
【技術分野】
【０００１】
この発明は、周囲がパネルで囲まれたプレハブ式の冷蔵庫、冷凍庫、貯蔵庫やクリーンルーム等の庫体に設けられた庫内・庫外間の開口部や庫内の間仕切りに設けられた開口部の開口枠及び開口枠の取付方法に関するものである。
【背景技術】
【０００２】
従来、周囲が断熱パネルで囲まれたプレハブ式の冷蔵庫や冷凍庫等の庫体の開口部の開口枠に電気系統の配線を配設するものが知られている。
【０００３】
この種の構造として、開口部の周囲に形成された扉枠に設けられたヒータ専用溝にヒータ線、リード線等を配設し、その表面にヒートプレート等の蓋部材を取り付ける構造が知られている（例えば、特許文献１参照）。
【０００４】
また、別のこの種の構造として、パネルの縦枠材に設けられた凹溝部内に配線部材を収納し、人感センサを取り付けたカバーを凹溝部に嵌め込む構造が知られている（例えば、特許文献２参照）。
【先行技術文献】
【特許文献】
【０００５】
【特許文献１】特開２００５−１８０８８３号公報（図３，図４，図７）
【特許文献２】特開平９−３２４２６号公報（図２，図３）
【発明の概要】
【発明が解決しようとする課題】
【０００６】
しかしながら、特許文献１及び特許文献２に記載の構造においては、いずれも開口部に形成された扉枠、縦枠材等の枠材に設けられた溝内に配線を配設した状態で、プレート、カバー等の蓋部材を取り付けるため、センサと接続する配線に誤差が生じた場合、センサと配線の接続が不十分となる懸念がある。
【０００７】
また、開口部の上部水平部と左右の垂直部の三方向の枠材に設けられた溝内に配線を配設した状態で、プレート、カバー等の蓋部材を取り付けるため、取付作業が面倒である等の懸念もある。
【０００８】
この発明は、上記事情に鑑みてなされたもので、既設の開口部への枠材の後付けを可能にし、開口枠に対する配線を容易かつ確実にすることができると共に、開口部の周囲への開口枠の取付作業を容易に行えるようにした庫体開口部の開口枠及び開口枠の取付方法提供することを課題とする。
【課題を解決するための手段】
【０００９】
上記課題を解決するために、この発明の開口枠は、周囲がパネルで囲まれた庫体に設けられた出入り用の開口部の周囲に形成される開口枠であって、上記パネルの開口部側の表裏面に外接可能な一対の側片と、両側片の中間部に連結されて上記パネルの開口端部に当接可能な連結片とを有する断面略Ｈ字状の開口枠本体と、上記開口枠本体の上記開口部側の両側片に係着されて両側片間の開口を塞ぐ蓋部材とからなり、  上記開口部の少なくとも一辺において、上記蓋部材に設けられた取付孔を介して上記開口部内の検知対象体を検知するセンサが装着され、上記連結片と上記蓋部材との間の空間内に、上記センサに接続する配線が配設される、ことを特徴とする（請求項１）。
【００１０】
請求項１に記載の庫体開口部の開口枠において、上記開口枠本体のパネルに外接可能な一対の側片の対向面における先端部と該先端部より間隔をおいた部位に、それぞれ先端側に向かって下り傾斜面を有する２条の突起が形成され、少なくとも一方の上記側片の外方から上記２条の突起間に貫挿される固定ねじによって上記側片をパネルに固定するのがよい（請求項２）。
【００１１】
また、請求項１又は２に記載の庫体開口部の開口枠において、上記開口枠本体の開口部側の一対の側片の対向面における先端側内方に直状突起が形成され、上記直状突起より間隔をおいた部位に上記連結片側に向かって上り傾斜状の係止部を有するフック状突起が形成され、  上記蓋部材は、上記直状突起に当接可能な板状基部と、該板状基部の幅方向の両端側から突出する一対の脚片とからなり、上記両脚片には、該脚片の先端から対向する脚片側に傾斜状に屈曲する先端が円弧状の屈曲部に、上記フック状突起に係合可能な係止段部が形成されているのが好ましい（請求項３）。
【００１２】
この発明に係る開口枠の取付方法は、周囲がパネルで囲まれた庫体に設けられた出入り用の開口部の周囲に形成される開口枠の取付方法であって、  一対の側片と両側片の中間部に連結される連結片とを有する断面略Ｈ字状の開口枠本体の一方の両側片を上記パネルの開口部側の表裏面に外接すると共に、上記連結片を上記開口端部に当接する開口枠本体の取付工程と、  上記開口枠本体の開口部側の両側片に上記蓋部材を係着して両側片間の開口を塞ぐ蓋部材の取付工程と、を備え、  上記開口部の少なくとも一辺において、上記開口枠本体に上記蓋部材を係着する前に、蓋部材に設けられた取付孔を介して上記開口部内の検知対象体を検知するセンサを装着すると共に、上記センサに接続する配線を上記蓋部材に固定する、ことを特徴とする（請求項４）。
【００１３】
請求項４に記載の開口枠の取付方法において、上記開口枠本体の取付工程は、上記パネルに外接可能な一対の側片の対向面における先端部と該先端部より間隔をおいた部位に形成された、それぞれ先端側に向かって下り傾斜面を有する２条の突起を上記パネルに外接した状態で、少なくとも一方の上記側片の外方から上記２条の突起間に貫挿される固定ねじによって上記側片を上記パネルに固定するのが好ましい（請求項５）。
【００１４】
また、請求項４に記載の開口枠の取付方法において、上記蓋部材の取付工程は、上記開口枠本体の開口部側の一対の側片の対向面における先端側内方に形成された直状突起に、上記蓋部材の板状基部を当接すると共に、上記開口枠本体の上記直状突起より間隔をおいた部位に形成されたフック状突起に、上記蓋部材の板状基部から突出する一対の脚片の係止段部を係合するのが好ましい（請求項６）。
【００１５】
請求項１，４に記載の発明によれば、庫体に形成された開口部の周囲（上部水平部及び左右垂直部）のパネル開口部側に断面略Ｈ字状の開口枠本体を取り付けた後に、開口枠本体の開口部側の両側片に蓋部材を係着して両側片間の開口を塞ぐことができる。この際、開口部の少なくとも一辺例えば両垂直部において、センサと該センサに接続する配線を取り付けた蓋部材を開口枠本体の開口部側の両側片に係着することで、開口枠本体の連結片と蓋部材との間に配線を収納する空間が余裕をもって設けられるので、開口枠に対する配線の誤差が生じ、それにより配線に撓みが生じても、配線を枠材等で挟み込むことなく、上記空間内に、センサとセンサに接続する配線を容易かる確実に配設することができる。
【００１６】
請求項２，５に記載の発明によれば、パネルに当接可能な一対の側片の対向面における先端部と該先端部より間隔をおいた部位に、それぞれ先端側に向かって下り傾斜面を有する２条の突起を形成することで、パネルの開口部側からの開口枠本体の取付を容易にすることができる。また、２条の突起を上記パネルに外接した状態で、少なくとも一方の上記側片の外方から上記２条の突起間に貫挿される固定ねじをパネルにねじ結合することで、開口枠本体の固定を容易かつ強固にすることができる。
【００１７】
請求項３，６に記載の発明によれば、開口枠本体の開口部側の一対の側片の対向面における先端側内方に形成された直状突起に、蓋部材の板状基部を当接すると共に、開口枠本体の直状突起より間隔をおいた部位に形成されたフック状突起に、蓋部材の板状基部から突出する一対の脚片の係止段部を係合することで、センサと配線を取り付けた蓋部材を、開口枠本体に容易かつ強固に取り付けることができる。
【発明の効果】
【００１８】
この発明によれば、上記のように構成されているので、以下のような顕著な効果が得られる。
【００１９】
（１）請求項１，４に記載の発明によれば、既設の開口部への枠材の後付けを可能にし、開口枠に対する配線を容易かつ確実にすることができると共に、開口部の周囲への開口枠の取付作業を容易にすることができる。
【００２０】
（２）請求項２，５に記載の発明によれば、パネルの開口部側からの開口枠本体の取付を容易にすることができると共に、開口枠本体の固定を容易かつ強固にすることができるので、上記（１）に加えて、更に開口部の周囲への開口枠の取付作業を容易かつ強固にすることができる。
【００２１】
（３）請求項３，６に記載の発明によれば、センサと配線を取り付けた蓋部材を、開口枠本体に容易かつ強固に取り付けることができるので、上記（１），（２）に加えて、更に開口部の周囲への開口枠の取付作業を容易かつ強固にすることができる。
【図面の簡単な説明】
【００２２】
【図１】この発明に係る開口枠を取り付けた庫体の一例の冷蔵庫の正面図である。
【図２】上記冷蔵庫の開口部を開閉するスライド扉の取付部を示す断面図である。
【図３】上記冷蔵庫の開口部にこの発明に係る開口枠を取り付けた状態を示す正面図である。
【図４】この発明における開口枠本体、蓋部材、センサ及び配線を示す分解正面図である。
【図５】この発明に係る開口枠をパネルに取り付ける前の状態を示す分解断面図である。
【図６】この発明に係る開口枠をパネルに取り付けた状態を示す断面図である。
【図７】この発明における開口枠本体の断面図（ａ）、（ａ）のＩ部拡大断面図（ｂ）及び（ａ）のII部拡大断面図（ｃ）である。
【図８】この発明における蓋部材の断面図（ａ）及び（ａ）のIII部拡大断面図（ｂ）である。
【図９】上記蓋部材にセンサを装着した状態を示す断面図（ａ）及び（ａ）の側面図図（ｂ）である。
【図１０】パネルに開口枠本体を取り付けた状態を示す断面図である。
【図１１】開口枠本体に蓋部材を取り付けた状態を示す断面図である。
【発明を実施するための形態】
【００２３】
以下に、この発明を実施するための形態について、添付図面に基づいて詳細に説明する。ここでは、この発明に係る開口枠をプレハブ式の冷蔵庫の開口部に適用した場合について説明する。
【００２４】
上記冷蔵庫は、周囲が断熱パネル２で囲まれた庫体１と、庫体１の一側面に設けられた出入り用の開口部３と、開口部３を開閉する自動開閉式のスライド扉４と、開口部３の周囲すなわち上部水平部と左右垂直部に後付けされる開口枠１０と、開口部３を通過する人や搬送物等の開口部３内の検知対象体を検知するセンサ４０と、センサ４０とスライド扉４の開閉制御用のコントローラ６０とを接続する配線５０と、を具備している。
【００２５】
断熱パネル２（以下にパネル２という）は、図２，図５及び図６に示すように、一対のアルミニウム合金製の表面板２ａと、これら表面板２ａの辺部間に介在される合成樹脂製の枠材２ｂと、両表面板２ａ及び枠材２ｂにて形成される空間内に充填される例えば発泡ポリウレタン等の発泡性の断熱材２ｃとで主に構成されている。
【００２６】
スライド扉４は、開口部３の上部側に水平状に配設される案内レール５と、開口部３を開閉する扉体４Ａと、この扉体４Ａの上端部に装着されるＬ形状のブラケット６の垂直片６ａに装着されると共に、案内レール５を転動する吊り車輪７と、ブラケット６の水平片６ｂに装着されると共に、開口部３の周囲（開口縁）に装着される開口枠１０の外面に転動可能な水平ガイドローラ８と、扉体４Ａの下端部に垂下状に装着され、床面Ｆに接触するずれパッキン４ｄとで主に構成されている。
【００２７】
上記スライド扉４の扉体４Ａは、一対の表面板４ａと、これら表面板４ａの辺部間に介在される枠材４ｂと、両表面板４ａ及び枠材４ｂにて形成される空間内に発泡ポリウレタン等の発泡性の断熱性心材４ｃを充填したサンドイッチ構造となっており、このスライド扉４の庫体１側の上辺及び左右辺には、開口部３の開口枠１０に圧接する円筒状のパッキン材４ｅが周設されている（図２参照）。
【００２８】
なお、スライド扉４の開閉駆動部（図示せず）は、庫体１の開口部３の上部側のパネル２に取り付けられたコントローラ６０と電気的に接続されている。また、コントローラ６０は、開口部３の上部側のパネル２内に配設された電源供給線７０をパネル２に内蔵された配線ボックス７１を介して図示しない外部電源と接続されている（図２参照）。なお、電源供給線７０は電気絶縁性の保護チューブ７０ａによって保護されている。
【００２９】
開口部３に取り付けられる開口枠１０は、図５ないし図８に示すように、パネル２の開口部側の表裏面の表面板２ａに外接可能な一対の側片２１と、両側片２１の中間部に連結されてパネル２の開口端部に当接可能な連結片２２とを有する断面略Ｈ字状の開口枠本体２０と、開口枠本体２０の開口部側の両側片２１に係着されて両側片２１間の開口を塞ぐ蓋部材３０とからなる。
【００３０】
この場合、開口枠本体２０は、アルミニウム合金製の押出形材や合成樹脂製部材により形成されており、パネル２に外接可能な一対の側片２１の対向面における先端部と該先端部より間隔をおいた部位に、それぞれ先端側に向かって下り傾斜面２３ａを有する２条の突起２３が形成されている。
【００３１】
上記のように、両側片２１の対向面に、先端側に向かって下り傾斜面２３ａを有する２条の突起２３を設けることにより、パネル２の開口部側から開口枠本体２０を取り付ける際に、突起２３の下り傾斜面２３ａがパネル２の表裏面に接触しつつ両側片２１を離反方向へ広げることができるので、パネル２への開口枠本体２０の取付を容易にすることができる。
【００３２】
なお、側片２１における２条の突起２３の間の外面には位置決め用のＶ字状の小溝２１ａが長手通しに形成されている。この小溝２１ａを設けることにより、開口枠本体２０がパネル２の開口部側端部に取り付けられた状態において、少なくとも一方の側片２１の外方から２条の突起２３間の小溝２１ａに貫挿される固定ねじ２４をパネル２にねじ結合することで、開口枠本体２０がパネル２に固定される。
【００３３】
また、開口枠本体２０の開口部側の一対の側片２１の対向面における先端側内方に、側片２１に対して直交状の直状突起２５が形成され、直状突起２５より間隔をおいた部位に、連結片側に向かって上り傾斜状の係止部２６ａを有するフック状突起２６が形成されている。
【００３４】
上記のように形成される開口枠本体２０は、連結片２２の中心に対して対称に形成されており、パネル２の開口部側端部に取り付ける際、両側片２１の位置に関係なく取り付けることができるようになっている。
【００３５】
なお、開口部３の周囲の上部水平部と左右の両垂直部に取り付けられる開口枠本体２０の接合部は４５度に切断されており、上部水平部と両垂直部に取り付けられる開口枠本体２０同士が９０度に接合される。
【００３６】
一方、蓋部材３０は、開口枠本体２０と同様に、アルミニウム合金製の押出形材や合成樹脂製部材により形成されており、開口枠本体２０の直状突起２５に当接可能な板状基部３１と、該板状基部３１の幅方向の両端側から突出する一対の脚片３２とからなる。
【００３７】
この場合、両脚片３２には、該脚片３２の先端から対向する脚片３２側に傾斜状に屈曲する先端が円弧状の屈曲部３３が形成され、該屈曲部３３の基端側には、フック状突起２６に係合可能な係止段部３４が形成されている。
【００３８】
上記のように、蓋部材３０の脚片３２に、該脚片３２の先端から対向する脚片３２側に傾斜状に屈曲する先端が円弧状の屈曲部３３を形成すると共に、該屈曲部３３の基端側に、フック状突起２６に係合可能な係止段部３４を形成することにより、開口枠本体２０の開口部側の両側片２１間に蓋部材３０を取り付ける際に、屈曲部３３の先端の円弧状部３３ａが開口枠本体２０に形成された上り傾斜状の係止部２６ａに接触しつつ両脚片３２を内方側に変位し、円弧状部３３ａが上り傾斜状の係止部２６ａを乗り越えた後、係止段部３４がフック状突起２６に係合した状態で係着される。
【００３９】
上記のように形成される開口枠１０のうちの開口部３の両垂直部に取り付けられる開口枠１０の蓋部材３０の板状基部３１の適宜箇所には、取付孔３５が設けられ、該取付孔３５を介してセンサ４０が装着される。このセンサ４０は例えば赤外線センサによって形成されている。この場合、開口部３の両垂直部に取り付けられる２つのセンサ４０は同じ高さ位置に配置されるようになっている。
【００４０】
また、蓋部材３０の板状基部３１には、センサ４０に接続する配線５０（具体的にはシールド線）がテープ５１によって仮固定された状態で配設されている。
【００４１】
なお、開口部３の両垂直部に取り付けられる開口枠１０の蓋部材３０に配設される配線５０は、開口部３の上部水平部に取り付けられる開口枠１０の蓋部材３０に配設され、開口部３の上部のパネル２に内蔵された配線ボックス７２を介してコントローラ６０に接続される（図２参照）。なお、配線５０（シールド線）は電気絶縁性の保護チューブ５０ａによって保護されている。
【００４２】
次に、開口枠１０の取付方法について説明する。ここでは、開口部３の垂直部に開口枠１０を取り付ける場合について説明する。
【００４３】
＜蓋部材へのセンサ及び配線の取付＞
まず、蓋部材３０にセンサ４０を装着すると共に、センサ４０に接続する配線５０を固定する。この場合、蓋部材３０の板状基部３１に設けられた取付孔３５を介してセンサ４０を装着し、センサ４０に接続する配線５０をテープ５１によって板状基部３１の内面に固定する（図９（ａ）、（ｂ）参照）。なお、配線５０は上部パネル２に設けられたコントローラ６０に接続されている。
【００４４】
＜開口枠本体の取付＞
パネル２の開口部３側端部に向かって開口枠本体２０の一方の両側片２１を差し込むようにして、両側片２１をパネル２の開口部側の表裏面に外接すると共に、連結片２２を開口端部に当接する（図１０参照）。
この際、両側片２１の対向面に設けられた、先端側に向かって下り傾斜面２３ａを有する２条の突起２３の下り傾斜面２３ａがパネル２の表裏面に接触しつつ両側片２１を離反方向へ広げることができるので、パネル２への開口枠本体２０の取付を容易にすることができる。このようにして開口枠本体２０をパネル２の開口部３に取り付けた状態で、開口部側をテープ（図示せず）で仮固定する。
【００４５】
パネル２の開口部側端部に開口枠本体２０を取り付けた状態で、開口枠本体２０の水平、垂直、対角を確認し、４５度切断部に隙間や段差が出ないように調整しながらコーナ及び端部を固定ねじ２４にて固定する。この際、一方の側片２１の外方から２条の突起２３間の小溝２１ａに貫挿される固定ねじ２４をパネル２にねじ結合して側片２１をパネル２に固定する（図１０参照）。
【００４６】
＜蓋部材の取付＞
センサ４０と配線５０を取り付けた蓋部材３０を長手方向の一端側すなわち開口部３の下端側から開口枠本体２０の開口部側の他方の両側片２１間に嵌め込むようにして取り付ける（図３の想像線及び図１１参照）。
この際、ゴムハンマー等で叩きながら蓋部材を嵌め込む。そうすると、蓋部材３０の両脚片３２の先端から対向する脚片３２側に傾斜状に屈曲する屈曲部３３の先端の円弧状部３３ａが開口枠本体２０に形成された上り傾斜状の係止部２６ａに接触しつつ両脚片３２を内方側に変位し、円弧状部３３ａが上り傾斜状の係止部２６ａを乗り越えた後、脚片３２が復元して係止段部３４がフック状突起２６に係合した状態で係着される。
【００４７】
なお、上記説明では、開口部３の一方の垂直部に開口枠１０（開口枠本体２０、蓋部材３０）を取り付ける場合について説明したが、他方の垂直部においても同様にして開口枠１０（開口枠本体２０、蓋部材３０）を取り付けることができる。また、上部水平部においては、センサ４０を装着しない状態で開口枠１０（開口枠本体２０、蓋部材３０）を取り付けることができる。
【００４８】
上記のようにして開口部３の周囲に開口枠１０（開口枠本体２０、蓋部材３０）を取り付けた後、開口部３の上部水平部に取り付けられた開口枠本体２０の表面をスライド扉４の開閉による摩耗を防止するために、スライド扉４の円筒状パッキン４ｅが接触する開口枠本体２０の表面に耐摩耗テープ（図示せず）を貼付する。その後、パネル２の表面板２ａと開口枠本体２０の側片２１の先端との間にコーキング材８０を充填して開口枠１０の外周をシールして取付作業が完了する。
【００４９】
なお、上記実施形態では、開口部３の左右垂直部に取り付けられる開口枠１０にセンサ４０を装着する場合について説明したが、この発明はこれに限定されるものではなく、開口部３の少なくとも一辺における開口枠１０にセンサ４０を装着する場合についても適用できる。
【００５０】
また、上記実施形態では、この発明に係る開口枠１０をプレハブ式の冷蔵庫の開口部３に適用した場合について説明したが、この発明はこれに限定されるものではなく、冷蔵庫以外の周囲がパネルで囲まれた冷凍庫、貯蔵庫やクリーンルーム等の庫体の一側面に設けられた庫内・庫外間の出入り用の開口部や庫内の間仕切りに設けられた出入り用の開口部についても適用でき、同様の効果が得られる。
【符号の説明】
【００５１】
１  庫体
２  断熱パネル
３  開口部
１０  開口枠
２０  開口枠本体
２１  側片
２２  連結片
２３  突起
２３ａ  下り傾斜面
２４  固定ねじ
２５  直状突起
２６  フック状突起
２６ａ  係止部
３０  蓋部材
３１  板状基部
３２  脚片
３３  屈曲部
３３ａ  円弧状部
３４  係止段部
３５  取付孔
４０  センサ
５０  配線
【図１】
2018040170.tif 000003
【図２】
2018040170.tif 000004
【図３】
2018040170.tif 000005
【図４】
2018040170.tif 000006
【図５】
2018040170.tif 000007
【図６】
2018040170.tif 000008
【図７】
2018040170.tif 000009
【図８】
2018040170.tif 000010
【図９】
2018040170.tif 000011
【図１０】
2018040170.tif 000012
【図１１】
2018040170.tif 000013